【手続補正書】
【提出日】平成25年12月12日(2013.12.12)
【手続補正１】
【補正対象書類名】特許請求の範囲
【補正対象項目名】全文
【補正方法】変更
【補正の内容】
【特許請求の範囲】
【請求項１】
Ｗｅｂアプリケーションが動作するＷｅｂアプリケーションサーバーと、Ｗｅｂブラウザを用いて、当該Ｗｅｂアプリケーションサーバーにアクセスする１以上のクライアント端末と、当該クライアント端末の操作に伴って動作する１以上のプリンターと、前記１以上のプリンターを管理するデバイスサーバーと、を有し、前記Ｗｅｂアプリケーションサーバーと前記クライアント端末、前記クライアント端末と前記デバイスサーバー、前記デバイスサーバーと前記プリンターが、通信可能に接続されたネットワークシステムであって、
前記デバイスサーバーは、
接続された利用可能な前記プリンターを検索し、検索した前記プリンターから、少なくとも前記プリンターを識別するためのプリンターＩＤおよび接続している通信ポートの情報を含むデバイス情報を取得するデバイス情報取得部と、
取得した前記デバイス情報に基づくデバイスリストを生成するデバイスリスト生成部と、
生成した前記デバイスリストを、前記クライアント端末に送信するデバイスリスト送信部と、を備え、
前記クライアント端末は、
前記Ｗｅｂアプリケーションサーバーから、前記Ｗｅｂブラウザ上で動作してＷｅｂページに関する印刷制御を行なう印刷制御用スクリプトが組み込まれたＷｅｂページを取得するＷｅｂページ取得部と、
前記印刷制御用スクリプトにより、前記デバイスサーバーから前記デバイスリストを取得するデバイスリスト取得部と、
前記印刷制御用スクリプトにより、前記デバイスリストから１の前記プリンターを選択するデバイス選択部と、
前記印刷制御用スクリプトにより、前記デバイス選択部で選択された前記プリンターに対して印刷を指示する印刷指示部と、を備えたことを特徴とするネットワークシステム。
【請求項２】
前記デバイスサーバーの前記デバイス情報取得部は、
前記デバイス情報として、前記プリンターの状態、前記プリンターの印刷設定情報、前記プリンターに装着されたオプション装置に関するオプション装着情報、前記プリンターの消耗品情報の内の少なくとも１つをさらに取得し、
前記クライアント端末は、
前記印刷制御用スクリプトにより、前記デバイス選択部で選択した前記プリンターの前記デバイス情報を設定するための設定画面を表示し、当該設定画面で設定された内容を保存するデバイス情報設定部を、さらに備えたことを特徴とする請求項１に記載のネットワークシステム。
【請求項３】
前記クライアント端末とネットワークを介して接続され、前記プリンターの状態を集中管理するデバイス管理サーバーをさらに備え、
前記クライアント端末は、
前記印刷制御用スクリプトにより、前記各プリンターの前記デバイス情報を前記デバイス管理サーバーに送信するデバイス情報送信部を、さらに備え、
前記デバイス管理サーバーは、
前記クライアント端末から前記デバイス情報を受信するデバイス情報受信部と、
受信した前記デバイス情報に基づいて、前記各プリンターの状態を通知するデバイス状態通知部と、を備えたことを特徴とする請求項１または２に記載のネットワークシステム。
【請求項４】
請求項１ないし３のいずれか１項に記載のデバイスサーバーの各部を備え、前記１以上のプリンターの内の、いずれか１のプリンターに装着されて用いられることを特徴とするインターフェースボード。
【請求項５】
Ｗｅｂアプリケーションが動作するＷｅｂアプリケーションサーバーと、Ｗｅｂブラウザを用いて、当該Ｗｅｂアプリケーションサーバーにアクセスする１以上のクライアント端末と、当該クライアント端末の操作に伴って動作する１以上のプリンターと、前記１以上のプリンターを管理するデバイスサーバーと、を有し、前記Ｗｅｂアプリケーションサーバーと前記クライアント端末、前記クライアント端末と前記デバイスサーバー、前記デバイスサーバーと前記プリンターが、通信可能に接続されたネットワークシステムの印刷処理方法であって、
前記デバイスサーバーは、
接続された利用可能な前記プリンターを検索し、検索した前記プリンターから、少なくとも前記プリンターを識別するためのプリンターＩＤおよび接続している通信ポートの情報から成るデバイス情報を取得するデバイス情報取得ステップと、
取得した前記デバイス情報に基づくデバイスリストを生成するデバイスリスト生成ステップと、
生成した前記デバイスリストを、前記クライアント端末に送信するデバイスリスト送信ステップと、を実行し、
前記クライアント端末は、
前記Ｗｅｂアプリケーションサーバーから、前記Ｗｅｂブラウザ上で動作してＷｅｂページに関する印刷制御を行なう印刷制御用スクリプトが組み込まれたＷｅｂページを取得するＷｅｂページ取得ステップと、
前記印刷制御用スクリプトにより、前記デバイスサーバーから前記デバイスリストを取得するデバイスリスト取得ステップと、
前記印刷制御用スクリプトにより、前記デバイスリストから１の前記プリンターを選択するデバイス選択ステップと、
前記印刷制御用スクリプトにより、前記デバイス選択ステップで選択された前記プリンターに対して印刷を指示する印刷指示ステップと、を備えたことを特徴とするネットワークシステムの印刷処理方法。
【請求項６】
前記デバイスサーバーの前記デバイス情報取得ステップは、
前記デバイス情報として、前記プリンターの状態、前記プリンターの印刷設定情報、前記プリンターに装着されたオプション装置に関するオプション装着情報、前記プリンターの消耗品情報の内の少なくとも１つをさらに取得し、
前記クライアント端末は、
前記印刷制御用スクリプトにより、前記デバイス選択部で選択した前記プリンターの前記デバイス情報を設定するための設定画面を表示し、当該設定画面で設定された内容を保存するデバイス情報設定ステップを、さらに備えたことを特徴とする請求項５に記載のネットワークシステムの印刷制御方法。
【請求項７】
前記クライアント端末とネットワークを介して接続され、前記プリンターの状態を集中管理するデバイス管理サーバーをさらに備え、
前記クライアント端末は、
前記印刷制御用スクリプトにより、前記各プリンターの前記デバイス情報を前記デバイス管理サーバーに送信するデバイス情報送信ステップを、さらに備え、
前記デバイス管理サーバーは、
前記クライアント端末から前記デバイス情報を受信するデバイス情報受信ステップと、
受信した前記デバイス情報に基づいて、前記各プリンターの状態を通知するデバイス状態通知ステップと、を備えたことを特徴とする請求項５または６に記載のネットワークシステムの印刷制御方法。
【請求項８】
Ｗｅｂブラウザを用いて、Ｗｅｂアプリケーションが動作するＷｅｂアプリケーションサーバーにアクセスする１以上のクライアント端末であり、当該クライアント端末の操作に伴って動作する１以上のプリンターを管理するデバイスサーバーと通信可能に接続されたクライアント端末であって、
前記Ｗｅｂアプリケーションサーバーから、前記Ｗｅｂブラウザ上で動作してＷｅｂページに関する印刷制御を行なう印刷制御用スクリプトが組み込まれたＷｅｂページを取得するＷｅｂページ取得部と、
前記印刷制御用スクリプトにより、前記デバイスサーバーが前記プリンターから取得したデバイス情報に基づいて生成したデバイスリストを、前記デバイスサーバーから取得するデバイスリスト取得部と、
前記印刷制御用スクリプトにより、前記デバイスリストから１のプリンターを選択するデバイス選択部と、
前記印刷制御用スクリプトにより、前記デバイス選択部で選択された前記プリンターに対して印刷を指示する印刷指示部と、を備えたことを特徴とするクライアント端末。
【請求項９】
前記印刷制御用スクリプトにより、前記デバイス選択部で選択した前記プリンターの前記デバイス情報を設定するための設定画面を表示し、当該設定画面で設定された内容を保存するデバイス情報設定部を、さらに備えたことを特徴とする請求項８に記載のクライアント端末。
【手続補正２】
【補正対象書類名】明細書
【補正対象項目名】発明の名称
【補正方法】変更
【補正の内容】
【発明の名称】ネットワークシステム、インターフェースボード、ネットワークシステムの印刷処理方法およびクライアント端末
【手続補正３】
【補正対象書類名】明細書
【補正対象項目名】０００１
【補正方法】変更
【補正の内容】
【０００１】
本発明は、複数のプリンターが利用可能に接続されたネットワークシステム、インターフェースボード、ネットワークシステムの印刷処理方法およびクライアント端末に関するものである。
【手続補正４】
【補正対象書類名】明細書
【補正対象項目名】０００５
【補正方法】変更
【補正の内容】
【０００５】
本発明は、上記の問題に鑑み、コンピューターの環境に依存するプリンタードライバーを必要とせずに、接続された複数のプリンターの中から所望のプリンターを指定し、印刷を実行することが可能なネットワークシステム、インターフェースボード、ネットワークシステムの印刷処理方法およびクライアント端末を提供することを目的とする。